(57)【要約】      （修正有）【課題】１つの商品に対して複数の装飾表示面を付与する、装飾表示面可変式加飾体を提供する。【解決手段】商品の所定領域に設置される、複数の装飾表示面は、第１装飾表示面２１と第２装飾表示面３１を有し、第１装飾表示面は、商品の所定領域内に付与される第１商品付与面２２と、商品に取り付けられたシート状部材４１の第１面側に付与される第１シート状部材付与面２３を含む。第２装飾表示面は、商品の所定領域内に付与される第２商品付与面３３と、シート状部材の第２面側に付与される第２シート状部材付与面を含む。第１商品付与面と第２商品付与面は、商品の所定領域の全体を占めるように隣接して配置され、シート状部材は、第１商品付与面と第２商品付与面との境界位置に取り付けられる。【選択図】図５
0003234750.tif 000002
【実用新案登録請求の範囲】
【請求項１】
商品の所定領域に設置され、当該所定領域内で複数の装飾表示面のそれぞれを表示することができる装飾表示面可変式加飾体であって、
前記複数の装飾表示面は、少なくとも第１装飾表示面と第２装飾表示面とを有し、
前記第１装飾表示面は、
前記商品の所定領域内に付与される第１商品付与面と、
前記商品に取り付けられたシート状部材の第１面側に付与される第１シート状部材付与面と、
により構成され、
前記第２装飾表示面は、
前記商品の所定領域内に付与される第２商品付与面と、
前記商品に取り付けられたシート状部材の第２面側に付与される第２シート状部材付与面と、
により構成され、
前記第１商品付与面と前記第２商品付与面は、前記商品の所定領域の全体を占めるように隣接して配置され、また、
前記シート状部材は、隣接して配置される前記第１商品付与面と前記第２商品付与面との境界位置に取り付けられ、
前記シート状部材の第２面側に付与される前記第２シート状部材付与面と、前記第２商品付与面とが重畳するように前記シート状部材を配置することで、前記シート状部材の第１面側に付与される前記第１シート状部材付与面と、前記第１商品付与面とが前記商品の所定領域に表示されて前記第１装飾表示面が前記商品を加飾するとともに、
前記シート状部材の第１面側に付与される前記第１シート状部材付与面と、前記第１商品付与面とが重畳するように前記シート状部材を配置することで、前記シート状部材の第２面側に付与される前記第２シート状部材付与面と、前記第２商品付与面とが前記商品の所定領域に表示されて前記第２装飾表示面が前記商品を加飾することを特徴とする装飾表示面可変式加飾体。
【請求項２】
請求項１に記載の装飾表示面可変式加飾体であって、
前記第１装飾表示面を構成する前記第１商品付与面および前記第１シート状部材付与面と、前記第２装飾表示面を構成する前記第２商品付与面および前記第２シート状部材付与面との４面の夫々が、同一の面積で形成されていることを特徴とする装飾表示面可変式加飾体。
【請求項３】
請求項１又は２に記載の装飾表示面可変式加飾体であって、
前記第１装飾表示面を構成する前記第１商品付与面および前記第１シート状部材付与面と、前記第２装飾表示面を構成する前記第２商品付与面および前記第２シート状部材付与面との４面は、１枚のシートの同一面上に付与されており、
前記シートを付与面側から見たときに、前記シートは、前記第１シート状部材付与面と前記第２シート状部材付与面との境界位置で山折りされることで前記シート状部材を構成し、また、前記第１商品付与面と前記第１シート状部材付与面との境界位置で谷折りされ、かつ、前記第２商品付与面と前記第２シート状部材付与面との境界位置で谷折りされて構成されていることを特徴とする装飾表示面可変式加飾体。
【請求項４】
請求項１又は２に記載の装飾表示面可変式加飾体であって、
前記第１装飾表示面を構成する前記第１商品付与面と、前記第２装飾表示面を構成する前記第２商品付与面との２面は、前記商品の所定領域内に直接付与されており、
前記第１シート状部材付与面と前記第２シート状部材付与面との２面は、１枚のシートの同一面上に付与されており、
前記シートを付与面側から見たときに、前記シートは、前記第１シート状部材付与面と前記第２シート状部材付与面との境界位置で山折りされることで前記シート状部材を構成していることを特徴とする装飾表示面可変式加飾体。
【請求項５】
請求項１〜４のいずれか１項に記載の装飾表示面可変式加飾体であって、
前記シート状部材の第１面側に付与される前記第１シート状部材付与面と、前記第１商品付与面とが重畳するように前記シート状部材が配置された状態、および／又は、当該シート状部材の第２面側に付与される前記第２シート状部材付与面と、前記第２商品付与面とが重畳するように前記シート状部材が配置された状態のときに、前記商品に対して前記シート状部材が位置固定される固定手段を備えることを特徴とする装飾表示面可変式加飾体。
【請求項６】
請求項１〜５のいずれか１項に記載の装飾表示面可変式加飾体であって、
前記商品は、Ｔシャツ、パーカー、スタジャン、帽子、トレーナー、シャツ、エプロンのいずれかを少なくとも含む被服類、又は、エコバッグ、トートバック、ミニトートバック、フラッグ、ワッペン、ポーチ、タペストリー、スマホケース、ペットボトルカバー、サッシュ、アクリルハンガー、マスク、クッションカバー、うちわのいずれかから選択されるものであることを特徴とする装飾表示面可変式加飾体。
【請求項７】
請求項１〜６のいずれか１項に記載の装飾表示面可変式加飾体が、所定領域に設置されることで加飾されていることを特徴とする商品。
【考案の詳細な説明】
【技術分野】
【０００１】
本考案は、装飾表示面可変式加飾体、およびこの装飾表示面可変式加飾体により加飾される商品に関するものである。
【背景技術】
【０００２】
Ｔシャツ等の被服に代表される商品に対し、当該商品を加飾するための装飾表示面が付与されることが一般的に行われている。例えば、Ｔシャツの表面にプリント印刷を施すことで、様々な絵柄を有する装飾性の高いＴシャツを提供することができる。
【０００３】
なお、この種の分野における従来技術、つまり、商品に対して装飾を付与して商品の価値を高める技術が、例えば、下記特許文献１〜３等に開示されている。
【先行技術文献】
【特許文献】
【０００４】
【特許文献１】特開２０２０−１８６５０５号公報
【特許文献２】特開２０１８−２４９５８号公報
【特許文献３】実用新案登録第３１４３７０７号公報
【考案の概要】
【考案が解決しようとする課題】
【０００５】
しかしながら、上掲した特許文献１〜３等に代表される従来の技術では、１つの商品に対して１つの装飾表示面を付与することが前提となっており、１つの商品に対して複数の装飾表示面を付与するものは存在していなかった。仮に、１つの商品に対して複数の装飾表示面を付与することができれば、１つの商品を購入するだけで様々な絵柄を楽しむことができるなど、装飾性やコストの面で有利な商品を得ることができ、好ましい。
【０００６】
本考案は、上述した従来技術の課題に鑑みて成されたものであって、その目的は、従来では存在しなかった１つの商品に対して複数の装飾表示面を付与する考案を実現することで、装飾性やコストの面で有利な商品を得ることにある。
【課題を解決するための手段】
【０００７】
本考案に係る装飾表示面可変式加飾体は、商品の所定領域に設置され、当該所定領域内で複数の装飾表示面のそれぞれを表示することができる装飾表示面可変式加飾体であって、前記複数の装飾表示面は、少なくとも第１装飾表示面と第２装飾表示面とを有し、前記第１装飾表示面は、前記商品の所定領域内に付与される第１商品付与面と、前記商品に取り付けられたシート状部材の第１面側に付与される第１シート状部材付与面と、により構成され、前記第２装飾表示面は、前記商品の所定領域内に付与される第２商品付与面と、前記商品に取り付けられたシート状部材の第２面側に付与される第２シート状部材付与面と、により構成され、前記第１商品付与面と前記第２商品付与面は、前記商品の所定領域の全体を占めるように隣接して配置され、また、前記シート状部材は、隣接して配置される前記第１商品付与面と前記第２商品付与面との境界位置に取り付けられ、前記シート状部材の第２面側に付与される前記第２シート状部材付与面と、前記第２商品付与面とが重畳するように前記シート状部材を配置することで、前記シート状部材の第１面側に付与される前記第１シート状部材付与面と、前記第１商品付与面とが前記商品の所定領域に表示されて前記第１装飾表示面が前記商品を加飾するとともに、前記シート状部材の第１面側に付与される前記第１シート状部材付与面と、前記第１商品付与面とが重畳するように前記シート状部材を配置することで、前記シート状部材の第２面側に付与される前記第２シート状部材付与面と、前記第２商品付与面とが前記商品の所定領域に表示されて前記第２装飾表示面が前記商品を加飾することを特徴とするものである。
【０００８】
本考案に係る装飾表示面可変式加飾体では、前記第１装飾表示面を構成する前記第１商品付与面および前記第１シート状部材付与面と、前記第２装飾表示面を構成する前記第２商品付与面および前記第２シート状部材付与面との４面の夫々が、同一の面積で形成されていることが好適である。
【０００９】
また、本考案に係る装飾表示面可変式加飾体では、前記第１装飾表示面を構成する前記第１商品付与面および前記第１シート状部材付与面と、前記第２装飾表示面を構成する前記第２商品付与面および前記第２シート状部材付与面との４面は、１枚のシートの同一面上に付与されており、前記シートを付与面側から見たときに、前記シートは、前記第１シート状部材付与面と前記第２シート状部材付与面との境界位置で山折りされることで前記シート状部材を構成し、また、前記第１商品付与面と前記第１シート状部材付与面との境界位置で谷折りされ、かつ、前記第２商品付与面と前記第２シート状部材付与面との境界位置で谷折りされて構成することができる。
【００１０】
また、本考案に係る装飾表示面可変式加飾体では、前記第１装飾表示面を構成する前記第１商品付与面と、前記第２装飾表示面を構成する前記第２商品付与面との２面は、前記商品の所定領域内に直接付与されており、前記第１シート状部材付与面と前記第２シート状部材付与面との２面は、１枚のシートの同一面上に付与されており、前記シートを付与面側から見たときに、前記シートは、前記第１シート状部材付与面と前記第２シート状部材付与面との境界位置で山折りされることで前記シート状部材を構成することができる。
【００１１】
さらに、本考案に係る装飾表示面可変式加飾体では、前記シート状部材の第１面側に付与される前記第１シート状部材付与面と、前記第１商品付与面とが重畳するように前記シート状部材が配置された状態、および／又は、当該シート状部材の第２面側に付与される前記第２シート状部材付与面と、前記第２商品付与面とが重畳するように前記シート状部材が配置された状態のときに、前記商品に対して前記シート状部材が位置固定される固定手段を備えることができる。
【００１２】
またさらに、本考案に係る装飾表示面可変式加飾体において、前記商品は、Ｔシャツ、パーカー、スタジャン、帽子、トレーナー、シャツ、エプロンのいずれかを少なくとも含む被服類、又は、エコバッグ、トートバック、ミニトートバック、フラッグ、ワッペン、ポーチ、タペストリー、スマホケース、ペットボトルカバー、サッシュ、アクリルハンガー、マスク、クッションカバー、うちわのいずれかから選択されるものとすることができる。
【００１３】
なお、本考案に係る商品は、上述したいずれかの装飾表示面可変式加飾体が、所定領域に設置されることで加飾されていることを特徴とするものを含む。
【考案の効果】
【００１４】
本考案によれば、１つの商品に対して複数の装飾表示面を付与することで、装飾性やコストの面で有利な商品を得ることができる。
【図面の簡単な説明】
【００１５】
【図１】本考案の実施形態が適用される本考案に係る商品の一例を示す図である。
【図２】本実施形態に係る装飾表示面可変式加飾体の基本構成を説明するための斜視図である。
【図３】本実施形態に係る装飾表示面可変式加飾体において第１装飾表示面が表示された状態を示す斜視図である。
【図４】本実施形態に係る装飾表示面可変式加飾体において第２装飾表示面が表示された状態を示す斜視図である。
【図５】本実施形態に係る装飾表示面可変式加飾体の第１の製造方法を説明するための図である。
【図６】本実施形態に係る装飾表示面可変式加飾体の第２の製造方法を説明するための図である。
【考案を実施するための形態】
【００１６】
以下、本考案を実施するための好適な実施形態について、図面を用いて説明する。なお、以下の実施形態は、各請求項に係る考案を限定するものではなく、また、実施形態の中で説明されている特徴の組み合わせの全てが考案の解決手段に必須であるとは限らない。
【００１７】
図１は、本考案の実施形態が適用される本考案に係る商品の一例を示す図である。図１に示す本実施形態の商品はＴシャツ１０であり、このＴシャツ１０に対して後述する装飾表示面可変式加飾体２０が配置される所定領域１１が、本実施形態ではＴシャツ１０の前面中央に配置される場合を例示して説明する。ただし、本考案に係る商品に対する所定領域の配置位置は、図１に例示した場合の箇所に限定されるものではなく、商品のあらゆる場所に所定領域１１を配置することができる。
【００１８】
次に、図２〜図４を参照図面に加えて、本実施形態のＴシャツ１０に対して設置される本実施形態の装飾表示面可変式加飾体２０についての説明を行う。ここで、図２は、本実施形態に係る装飾表示面可変式加飾体の基本構成を説明するための斜視図である。また、図３は、本実施形態に係る装飾表示面可変式加飾体において第１装飾表示面が表示された状態を示す斜視図であり、図４は、本実施形態に係る装飾表示面可変式加飾体において第２装飾表示面が表示された状態を示す斜視図である。
【００１９】
図２〜図４に示すように、本実施形態の装飾表示面可変式加飾体２０は、「Ａ」というデザインが装飾された第１装飾表示面２１と、「Ｂ」というデザインが装飾された第２装飾表示面３１という、２面の装飾表示面を備えて構成されている。また、第１装飾表示面２１の上側半分はＴシャツ１０の所定領域１１内の上側半分を占めるように配置されており、第２装飾表示面３１の下側半分はＴシャツ１０の所定領域１１内の下側半分を占めるように配置されている。さらに、第１装飾表示面２１の上側半分と第２装飾表示面３１の下側半分の境界の箇所には、シート状部材４１が取り付けられている。
【００２０】
上述した本実施形態の装飾表示面可変式加飾体２０の構成をより具体的に説明すると、特に、図３においてより詳細に示されるように、第１装飾表示面２１は、Ｔシャツ１０の所定領域１１の内の上側半分に付与される第１商品付与面２２と、Ｔシャツ１０に取り付けられたシート状部材４１の第１面である上面側に付与される第１シート状部材付与面２３と、により構成されている。一方、図４においてより詳細に示されるように、第２装飾表示面３１は、Ｔシャツ１０の所定領域１１の内の下側半分に付与される第２商品付与面３３と、Ｔシャツ１０に取り付けられたシート状部材４１の第２面である下面側に付与される第２シート状部材付与面３２と、により構成されている。
【００２１】
さらに、本実施形態では、第１装飾表示面２１を構成する第１商品付与面２２および第１シート状部材付与面２３と、第２装飾表示面３１を構成する第２商品付与面３３および第２シート状部材付与面３２との４面の夫々が、同一の面積で形成されている。またさらに、第１商品付与面２２と第２商品付与面３３は、Ｔシャツ１０の所定領域１１の全体を占めるように隣接して配置され、また、隣接して配置される第１商品付与面２２と第２商品付与面３３との境界位置には、上面（第１シート状部材付与面２３）と下面（第２シート状部材付与面３２）の夫々の面積が第１商品付与面２２と第２商品付与面３３の夫々と同一のシート状部材４１が取り付けられている。つまり、図３で示すようにシート状部材４１を下側に配置した場合に表示される第１装飾表示面２１と、図４で示すようにシート状部材４１を上側に配置した場合に表示される第２装飾表示面３１とは、夫々がＴシャツ１０の所定領域１１と同一の面積を有するように構成されている。
【００２２】
したがって、本実施形態に係る装飾表示面可変式加飾体２０は、シート状部材４１の第２面である下面側に付与される第２シート状部材付与面３２と、第２商品付与面３３とが重畳するようにシート状部材４１を配置することで、シート状部材４１の第１面である上面側に付与される第１シート状部材付与面２３と、第１商品付与面２２とがＴシャツ１０の所定領域１１に表示されて第１装飾表示面２１がＴシャツ１０を加飾するように構成されている（図３の状態参照）。一方、シート状部材４１の第１面である上面側に付与される第１シート状部材付与面２３と、第１商品付与面２２とが重畳するようにシート状部材４１を配置することで、シート状部材４１の第２面である下面側に付与される第２シート状部材付与面３２と、第２商品付与面３３とがＴシャツ１０の所定領域１１に表示されて第２装飾表示面３１がＴシャツ１０を加飾するように構成されている（図４の状態参照）。このような構成を備える本実施形態に係る装飾表示面可変式加飾体２０によれば、本考案の商品であるＴシャツ１０の所定領域１１内で複数の装飾表示面２１，３１のそれぞれを表示することができる。
【００２３】
また、本実施形態に係る装飾表示面可変式加飾体２０は、Ｔシャツ１０に対してシート状部材４１を位置固定するための固定手段を備えており、図２〜図４で例示される本実施形態の場合、固定手段としての嵌め込み式のボタン５１が設置されている。このように、商品であるＴシャツ１０に対してシート状部材４１を位置固定するための固定手段としてボタン５１を備えることで、シート状部材４１の第２面である下面側に付与される第２シート状部材付与面３２と、第２商品付与面３３とが重畳するようにシート状部材４１が配置された状態、つまり、シート状部材４１が上側に位置する状態を確実に維持することができる。
【００２４】
なお、本実施形態では、シート状部材４１が上下方向に位置移動する場合の構成例が示されていたが、本考案では、シート状部材４１の移動方向は上下方向には限定されず、例えば、左右方向や斜め方向であってもよい。つまり、本考案に係る固定手段については、シート状部材の第１面側に付与される第１シート状部材付与面と、第１商品付与面とが重畳するようにシート状部材が配置された状態、および／又は、当該シート状部材の第２面側に付与される第２シート状部材付与面と、第２商品付与面とが重畳するようにシート状部材が配置された状態のいずれについても、固定手段が機能してシート状部材４１を位置固定することができるようにすることができる。
【００２５】
以上、図１〜図４を用いて、本実施形態のＴシャツ１０に対して設置される本実施形態の装飾表示面可変式加飾体２０についての説明を行った。次に、本実施形態に係る装飾表示面可変式加飾体２０の製造方法についての説明を行う。ここで、図５は、本実施形態に係る装飾表示面可変式加飾体の第１の製造方法を説明するための図である。
【００２６】
図５で示すように、本実施形態に係る装飾表示面可変式加飾体２０を製造するためには、１枚のシート２０’を用意する。そして、この１枚のシート２０’の同一面上に対して、第１装飾表示面２１を構成する第１商品付与面２２および第１シート状部材付与面２３と、第２装飾表示面３１を構成する第２商品付与面３３および第２シート状部材付与面３２との４面を予めプリント印刷しておく。
【００２７】
この状態から、当該シート２０’を付与面側から見たときに、第１シート状部材付与面２３と第２シート状部材付与面３２との境界位置αで山折りすることで、シート２０’の中央部でシート状部材４１を構成することができる。また、シート２０’は、第１商品付与面２２と第１シート状部材付与面２３との境界位置βで谷折りし、かつ、第２商品付与面３３と第２シート状部材付与面３２との境界位置γで谷折りすることで、本実施形態に係る装飾表示面可変式加飾体２０の形状が完成する。
【００２８】
さらにその後、シート２０’の中央部にて構成されたシート状部材４１の四隅をミシン等で縫い付け、また、第１商品付与面２２と第２商品付与面３３の周囲をコの字状にミシン等で縫い付けることで、本実施形態に係る装飾表示面可変式加飾体２０が完成する。このようにして完成した装飾表示面可変式加飾体２０を、Ｔシャツ１０の所定領域１１内に取り付けることで、装飾表示面可変式加飾体２０によって加飾された本考案の商品であるＴシャツ１０が完成する。
【００２９】
以上、本考案の好適な実施形態について説明したが、本考案の技術的範囲は上記実施形態に記載の範囲には限定されない。上記実施形態には、多様な変更又は改良を加えることが可能である。
【００３０】
例えば、本実施形態に係る装飾表示面可変式加飾体２０の製造方法については、図５で示した第１の製造方法には限定されない。そこで、本考案に係る装飾表示面可変式加飾体の他の製造方法について、図６を用いて説明を行う。ここで、図６は、本実施形態に係る装飾表示面可変式加飾体の第２の製造方法を説明するための図である。
【００３１】
図６に示す第２の製造方法の場合、第１装飾表示面２１を構成する第１商品付与面２２と、第２装飾表示面３１を構成する第２商品付与面３３との２面を、Ｔシャツ１０の所定領域１１内に対してプリント印刷等によって予め直接付与しておく。
【００３２】
一方、シート状部材４１を構成するための１枚のシート４１’を予め用意しておき、この１枚のシート４１’の同一面上に対して、第１シート状部材付与面２３と第２シート状部材付与面３２との２面を形成しておく。さらに、１枚のシート４１’を付与面側から見たときに、当該シート４１’の第１シート状部材付与面２３と第２シート状部材付与面３２との境界位置δで山折りすることで、シート状部材４１を構成する。このようにして構成されたシート状部材４１を、Ｔシャツ１０の所定領域１１内に対して予め直接付与された第１商品付与面２２と第２商品付与面３３との２面の境界位置に設置することで、本実施形態に係る装飾表示面可変式加飾体２０が完成する。このように、本考案に係る装飾表示面可変式加飾体については、上述した実施形態で示した装飾表示面可変式加飾体２０と同様の作用効果を発揮できる範囲内において、あらゆる製造方法を採用することができる。
【００３３】
また、上述した実施形態では、本考案の商品がＴシャツ１０である場合を例示して説明を行ったが、本考案を適用可能な商品については、例えば、Ｔシャツ、パーカー、スタジャン、帽子、トレーナー、シャツ、エプロンのいずれかを少なくとも含む被服類、又は、エコバッグ、トートバック、ミニトートバック、フラッグ、ワッペン、ポーチ、タペストリー、スマホケース、ペットボトルカバー、サッシュ、アクリルハンガー、マスク、クッションカバー、うちわのいずれかから選択されるものであることが可能である。つまり、本考案に係る装飾表示面可変式加飾体については、あらゆる商品に対して適用することが可能であるため、従来では存在しなかった１つの商品に対して複数の装飾表示面を付与する考案を実現することで、装飾性やコストの面で有利な商品を得ることができる。
【００３４】
また、上述した実施形態では、本考案の固定手段としてボタン５１を採用した場合を例示した。このボタン５１は、嵌め込み式のものであった。しかし、本考案に係る固定手段については、嵌め込み式のボタン以外でも適用可能である。例えば、ボタンとボタン留め紐の組み合わせからなる固定手段や、マジックテープ（登録商標）等の面ファスナーなど、あらゆる形式の固定手段を採用することができる。
【００３５】
また、上述した実施形態では、商品の所定領域１１や装飾表示面可変式加飾体２０の外郭形状が矩形形状をした場合が例示されていたが、シート状部材４１を折り返せる形状であれば、どの様な形状を採用してもよい。例えば、左右対称形状や上下対称形状など、具体的には、円形や三角形、ダイヤ形状や菱形形状、ハート形状やクローバー形状、スペード形状などといった、あらゆる形状を本考案の装飾表示面可変式加飾体に適用することができる。
【００３６】
その様な変更又は改良を加えた形態も本考案の技術的範囲に含まれ得ることが、実用新案登録請求の範囲の記載から明らかである。
【符号の説明】
【００３７】
１０  Ｔシャツ（商品）、１１  所定領域、２０  装飾表示面可変式加飾体、２０’  シート、２１  第１装飾表示面、２２  第１商品付与面、２３  第１シート状部材付与面、３１  第２装飾表示面、３２  第２シート状部材付与面、３３  第２商品付与面、４１  シート状部材、４１’  シート、５１  ボタン（固定手段）。
【図１】
0003234750.tif 000003
【図２】
0003234750.tif 000004
【図３】
0003234750.tif 000005
【図４】
0003234750.tif 000006
【図５】
0003234750.tif 000007
【図６】
0003234750.tif 000008